(57)【要約】  【課題】  プリントヘッドの光照射面に対する清掃能力を向上して鮮明な画像の形成を維持するとともに、画像形成装置の小型化を図る。  【解決手段】  感光体ドラム１０と、この感光体ドラム１０を露光する発光ダイオードアレイ（ＬＥＤアレイ）４１と、このＬＥＤアレイ４１から照射される光を感光体ドラム１０表面に結像させるセルフォックレンズアレイ（ＳＬＡ）４２と、このＳＬＡ４２の光照射面４５を清掃する往復移動可能な清掃装置６０とが備えられており、この清掃装置６０は、ＳＬＡ４２の光照射面４５に接離可能に構成され、この光照射面４５に対してエッジが当接しながら移動可能な掃き出し部材（第１清掃部材）６４と、ＳＬＡ４２の光照射面４５に接離可能に構成され、この光照射面４５に対して平面が当接しながら移動可能な拭き取り部材（第２清掃部材）６３とを有する。  【選択図】  図３
2005041147.tif 000002
【特許請求の範囲】
【請求項１】
感光体と、
前記感光体を露光する露光手段と、
前記露光手段から照射される光を前記感光体表面に結像させる光学手段と、
前記光学手段の光照射面を清掃する往復移動可能な清掃手段とを備え、
前記清掃手段は、
前記光学手段の光照射面に接離可能に構成され、当該光照射面に対してエッジが当接しながら移動可能な第１清掃部材と、
前記光学手段の光照射面に接離可能に構成され、当該光照射面に対して平面が当接しながら移動可能な第２清掃部材と
を有することを特徴とする画像形成装置。
【請求項２】
前記清掃手段は、一方向への移動時には前記第１清掃部材が前記光照射面に当接し、当該一方向とは逆の方向への移動時には前記第２清掃部材が当該光照射面に当接することを特徴とする請求項１記載の画像形成装置。
【請求項３】
前記清掃手段は、前記一方向への移動時には前記第１清掃部材が前記光照射面にカウンタ当接することを特徴とする請求項２記載の画像形成装置。
【請求項４】
前記清掃手段は、一方向への移動時には前記第１清掃部材と前記第２清掃部材とが前記光照射面に当接し、当該一方向とは逆の方向への移動時には当該第１清掃部材と当該第２清掃部材とが当該光照射面から離隔することを特徴とする請求項１記載の画像形成装置。
【請求項５】
前記清掃手段は、前記一方向への移動時には前記第１清掃部材が前記光照射面にカウンタ当接することを特徴とする請求項４記載の画像形成装置。
【請求項６】
前記清掃手段は、前記光学手段の長手方向外部まで移動可能であることを特徴とする請求項１記載の画像形成装置。
【請求項７】
前記第１清掃部材と前記第２清掃部材とは、前記光学手段の画像領域外で接離動作を行うことを特徴とする請求項１記載の画像形成装置。
【請求項８】
感光体と、
前記感光体を露光する露光手段と、
前記露光手段から照射される光を前記感光体表面に結像させる光学手段と、
前記光学手段の光照射面上の付着物を掃き出す掃き出し部材と当該付着物を拭き取る拭き取り部材とを有する清掃手段と
を備えたことを特徴とする画像形成装置。
【請求項９】
前記清掃手段は、前記掃き出し部材が板状体で構成され、当該掃き出し部材のエッジが前記光照射面に当接することを特徴とする請求項８記載の画像形成装置。
【請求項１０】
前記清掃手段は、前記拭き取り部材が面状体で構成され、当該拭き取り部材の平面が前記光照射面に当接することを特徴とする請求項８記載の画像形成装置。
【請求項１１】
感光体を露光する発光ダイオードアレイと、
前記発光ダイオードアレイから照射される光を前記感光体表面に結像させるレンズ部材と、
前記発光ダイオードアレイと前記レンズ部材とを支持するハウジングと、
前記レンズ部材の光照射面に対してエッジが当接可能な掃き出し部材と、
前記レンズ部材の光照射面に対して平面が当接可能な拭き取り部材と、
前記掃き出し部材と前記拭き取り部材とを前記レンズ部材の光照射面に沿って移動させる移動機構部と
を備えたことを特徴とするプリントヘッド。
【請求項１２】
前記掃き出し部材は少なくとも一方向への移動時には前記光照射面に当接し、当該一方向とは逆の方向への移動時には少なくとも前記拭き取り部材が当該光照射面に当接することを特徴とする請求項１１記載のプリントヘッド。
【請求項１３】
前記掃き出し部材と前記拭き取り部材とは、一方向への移動時には前記光照射面に当接し、当該一方向とは逆の方向への移動時には当該光照射面から離隔することを特徴とする請求項１１記載のプリントヘッド。
【請求項１４】
前記移動機構部は、前記ハウジングの内部に配置されたことを特徴とする請求項１１記載のプリントヘッド。
【発明の詳細な説明】
【技術分野】
【０００１】
本発明は、電子写真方式の複写機、プリンタ等の画像形成装置等に関し、より詳しくは感光体を露光するＬＥＤプリントヘッド（ＬＰＨ）を搭載した画像形成装置等に関する。
【背景技術】
【０００２】
従来より、電子写真方式を用いた複写機、プリンタ等の画像形成装置では、例えばドラム状に構成された感光体を一様に帯電し、この感光体を画像情報に基づいて制御された露光手段によって露光して感光体上に静電潜像を形成する。そしてこの静電潜像を現像剤(トナー)を保持した現像器で現像してトナー像とし、このトナー像を記録紙に転写した後、これを定着することによって画像形成している。
近年画像形成装置の小型化を図るべく、機械的な駆動機構を必要とせず、また液晶素子のようにバックライトを必要としない露光手段の一つとして、ＬＥＤアレイが用いられたＬＥＤプリントヘッド（ＬＰＨ）が開発されている。このＬＰＨは現像器の近傍に配置されることから、ＬＰＨの光照射面がトナーやほこり等のゴミで汚れ易い。そこで、かかる汚れにより生じる画像むらを防止するため、この光照射面を清掃する清掃装置が設けられる場合がある。
【０００３】
ここで、ＬＰＨの光照射面を清掃する従来技術として、記録部の記録プロセスに影響を与えないタイミングで露光器の光照射面を清掃する技術が存在する（例えば、特許文献１参照）。また、帯電器の引き出し時および収納時に清掃装置によって光束出射面を清掃する技術が存在する（例えば、特許文献２参照）。
【０００４】
【特許文献１】特開平１１−３３８２２７号公報（第３-４頁）
【特許文献２】特開平５−２８６２０６号公報（第２-３頁）
【発明の開示】
【発明が解決しようとする課題】
【０００５】
ところで、ＬＰＨを搭載した画像形成装置では、清掃装置によるＬＰＨの光照射面の清掃を何度も重ねると、清掃装置にトナーやほこり等のゴミが蓄積して、光照射面上のゴミを取り除く清掃能力が低下し、その結果、光照射面にゴミが残留して画像むらが生じるという不都合が見られた。さらに、清掃装置はＬＰＨの外部に設けられるため、画像形成装置の大型化を招く原因となるという問題もあった。
そこで解決しようとする課題は、ＬＥＤプリントヘッド（ＬＰＨ）の光照射面に対する清掃を何度も繰り返しても清掃能力が低下することを抑え、画像むらの発生を抑制することにある。
また、清掃装置を備えたＬＰＨを搭載した画像形成装置の小型化を実現するということにある。
【０００６】
なお、上記の特許文献１および特許文献２に記載された技術では、清掃装置の清掃能力の低下を防止するための有効な技術、さらに清掃装置の省スペース化を図る技術は開示されていない。
【課題を解決するための手段】
【０００７】
かかる目的のもと、本発明の画像形成装置では、感光体と、この感光体を露光する露光手段と、この露光手段から照射される光を感光体表面に結像させる光学手段と、この光学手段の光照射面を清掃する往復移動可能な清掃手段とが備えられており、この清掃手段は、光学手段の光照射面に接離可能に構成され、この光照射面に対してエッジが当接しながら移動可能な第１清掃部材と、光学手段の光照射面に接離可能に構成され、この光照射面に対して平面が当接しながら移動可能な第２清掃部材とを有することを特徴としている。ここで、清掃手段は、一方向への移動時には第１清掃部材が光照射面に当接し、この一方向とは逆の方向への移動時には第２清掃部材が光照射面に当接するように構成することができる。その際、清掃手段は、この一方向への移動時には第１清掃部材が光照射面にカウンタ当接するように構成することもできる。
【０００８】
また、清掃手段は、一方向への移動時には第１清掃部材と第２清掃部材とが光照射面に当接し、この一方向とは逆の方向への移動時には第１清掃部材と第２清掃部材とが光照射面から離隔するように構成することもできる。その際、清掃手段は、この一方向への移動時には第１清掃部材が光照射面にカウンタ当接するように構成することもできる。
さらに、清掃手段は、光学手段の長手方向外部まで移動可能であることを特徴とすることもできる。また、第１清掃部材と第２清掃部材とは、光学手段の画像領域外で接離動作を行うことを特徴とすることもできる。
【０００９】
また、本発明の画像形成装置は、感光体を露光する露光手段から照射される光を感光体表面に結像させる光学手段に、光学手段の光照射面上の付着物を掃き出す掃き出し部材とかかる付着物を拭き取る拭き取り部材とを有する清掃手段を備えたことを特徴としている。ここで、清掃手段は、掃き出し部材が板状体で構成され、この掃き出し部材のエッジが光照射面に当接するように構成することができる。また、清掃手段は、拭き取り部材が面状体で構成され、この拭き取り部材の平面が光照射面に当接するように構成することができる。
【００１０】
さらに、本発明をプリントヘッドと捉え、本発明のプリントヘッドは、ハウジングによって支持された、感光体を露光する発光ダイオードアレイと、この発光ダイオードアレイから照射される光を感光体表面に結像させるレンズ部材とを備え、レンズ部材の光照射面に対してエッジが当接可能な掃き出し部材と、レンズ部材の光照射面に対して平面が当接可能な拭き取り部材とを、移動機構部によってレンズ部材の光照射面に沿って移動させながら、光照射面を清掃することを特徴としている。ここで、掃き出し部材は少なくとも一方向への移動時には光照射面に当接し、この一方向とは逆の方向への移動時には少なくとも拭き取り部材が光照射面に当接するように構成することができる。また、掃き出し部材と拭き取り部材とは、一方向への移動時には光照射面に当接し、この一方向とは逆の方向への移動時には光照射面から離隔するように構成することもできる。
さらに、移動機構部は、ハウジングの内部に配置されることを特徴とすることもできる。
【発明の効果】
【００１１】
本発明の効果として、プリントヘッドの光照射面に対する清掃能力を向上して鮮明な画像の形成を維持するとともに、画像形成装置の小型化を図ることが可能となった。
【発明を実施するための最良の形態】
【００１２】
以下、添付図面を参照して、本発明の実施の形態について詳細に説明する。
[実施の形態１]
図１に示すものは、本発明の実施の形態１における画像形成装置を説明する図である。図１で示すように、本実施の形態の画像形成装置は、矢印Ａの方向に定速回転する感光体ドラム１０の周囲に、感光体ドラム１０上を一様に帯電する帯電ローラ１１、画像情報に基づいて制御された光を露光するＬＥＤプリントヘッド（ＬＰＨ）１２、感光体ドラム１０上に形成された静電潜像を現像する現像器１３、トナー像を記録紙２０に転写する転写ローラ１４、感光体ドラム１０上から転写残トナーを除去するクリーナ１５を備えている。なお、ＬＰＨ１２は感光体ドラム１０の下方に配置されている。
さらには、記録紙２０に転写されたトナー像を加熱定着するための定着器１６を備えている。
【００１３】
帯電ローラ１１は、導電性ゴムまたは導電性スポンジと導電性ゴムとが積層して構成されている。帯電ローラ１１には電源(図示せず）が接続され、この電源から直流電圧または直流電圧に交流電圧が重畳された電圧が供給される。そして感光体ドラム１０の表面を一定電圧で一様に帯電する。
ＬＰＨ１２は、ＬＰＨ駆動部２１に接続されている。そしてＬＰＨ１２は、制御部３０からの画像データに基づきＬＰＨ駆動部２１によって制御された光を照射し、感光体ドラム１０上に静電潜像を形成する。なお、ＬＰＨ１２の構成については、後段で詳細に説明する。
【００１４】
現像器１３は、現像剤を貯蔵する現像ハウジング２２、現像剤を担持搬送する現像ローラ２３を備えている。現像ローラ２３は現像ハウジング２２内に貯蔵された現像剤を担持して、矢印Ｂ方向に回転しながら感光体ドラム１０にトナーを供給し、静電潜像を可視像化したトナー像を形成する。
転写ローラ１４は、導電性ゴムまたは導電性スポンジと導電性ゴムとを積層して構成され、電源(図示せず）に接続されて直流電圧が供給されている。そして給紙ローラ３１によって搬送されてきた記録紙２０上にトナー像を転写する。
【００１５】
定着器１６は、加熱ローラ１６ａと加圧ローラ１６ｂとからなる一対のローラで構成される。トナー像が転写された記録紙２０は定着器１６に搬送され、定着器１６を通過する際に加熱および加圧され、トナー像が記録紙２０に定着される。
一方、クリーナ１５は、クリーニングブレード２４とクリーナハウジング２５とで構成される。クリーニングブレード２４は感光体ドラム１０の回転方向Ａとはカウンタ方向に当接され、転写の際に感光体ドラム１０上に残った転写残トナーを掻き取り、クリーナハウジング２５に貯蔵する。
【００１６】
次に、本実施の形態におけるＬＰＨ１２について説明する。
図２はＬＰＨ１２の構成を示す断面図である。図２において、ＬＰＨ１２は、支持体としてのＬＰＨハウジング４０、画像情報に基づいて制御された光を照射する露光手段の一例としての発光ダイオードアレイ（ＬＥＤアレイ）４１、ＬＥＤアレイ４１からの光を感光体ドラム１０表面に結像させる光学手段の一例としてのセルフォックレンズアレイ（ＳＬＡ）４２、ＳＬＡ４２の光照射面４５を清掃する清掃手段の一例としての清掃装置６０を備えている。
ＬＰＨハウジング４０は、例えばアルミニウム等の板金で形成され、ハウジング本体部７１と、ＬＥＤアレイ４１を保持するＬＥＤアレイ保持部７２と、ＳＬＡ４２を保持するレンズ保持部７３とが折り曲げ加工により一体に連設して構成されている。なお、ＬＥＤアレイ保持部７２とレンズ保持部７３とは、ＬＥＤアレイ４１の発光点とＳＬＡ４２の焦点とが一致して位置するように構成されている。
また、ハウジング本体部７１は、ＬＥＤアレイ保持部７２を一辺とした「コ」字形状に折り曲げ加工されている。このように折り曲げ加工することで、ＬＰＨハウジング４０のＳＬＡ４２の光軸方向に対する耐振動強度を高めることができるために、振動によって画像の鮮明度が低下するのを抑制できると同時に、安価に製造することが可能となる。
【００１７】
次に、ＬＰＨ１２の清掃装置６０について説明する。図３はＬＰＨ１２の側面図である。図２および図３に示すように、清掃装置６０は、ＬＰＨ１２のＬＰＨハウジング４０のハウジング本体部７１内に担持される支持部材５０、支持部材５０の長手方向に設けられたレール部５１、レール部５１にスライド可能に支持されたスライド部材５３、支持部材５０の長手方向に伸びた清掃棒５２、光照射面４５を清掃する清掃部材６２、清掃部材６２を支持する揺動部材６１で構成されている。
ここで、清掃装置６０は、ＬＰＨハウジング４０において、ハウジング本体部７１の「コ」字形状の内部空間に、清掃装置６０の主要部が配置され、揺動部材６１のみがＬＰＨハウジング４０の外側部に配置されている。すなわち、図２に示したように、清掃装置６０は、レール部５１が設けられた支持部材５０と、清掃棒５２と、清掃棒担持部材(図示せず)と、揺動部材６１を支持するスライド部材５３とが移動機構部を構成して、ハウジング本体部７１の内部に格納されている。また、清掃部材６２が設けられた揺動部材６１はＬＰＨハウジング４０の外部に配設されている。このように構成することによって、ＬＰＨ１２を小型に構成することができ、感光体ドラム１０周りの限られた空間にＬＰＨ１２を配置できることから、画像形成装置の小型化が容易となる。
【００１８】
支持部材５０は、ＬＰＨハウジング４０のハウジング本体部７１内においてＬＰＨハウジング４０の長手方向に沿って配設されている。したがって支持部材５０に設けたレール部５１は、光照射面４５と平行に位置する。さらに清掃棒５２は、一方を支持部材５０の端部に支持された清掃棒支持部材(図示せず)でスライド可能に支持され、他方をレール部５１にスライド可能に支持されたスライド部材５３と連結されている。すなわち、清掃棒５２とスライド部材５３とは一体となってレール部５１に沿って移動可能に構成され、スライド部材５３は、清掃棒５２の移動に伴って光照射面４５の露光領域（画像領域）を含んだ一定の範囲を往復移動することが可能である。
【００１９】
また、揺動部材６１は、スライド部材５３に軸支されてＬＰＨハウジング４０の長手方向において所定の範囲で揺動するように構成されている。さらに揺動部材６１は、清掃棒５２と連結されており、清掃棒５２のスライド方向に合わせて揺動する。すなわち揺動部材６１は、図３において、清掃棒５２が図面左（矢印Ｃ）方向にスライドする際には図面左（矢印Ｅ）方向に傾き、清掃棒５２が図面右（矢印Ｄ）方向にスライドする際には図面右（矢印Ｆ）方向に傾くように構成されている。
さらに、揺動部材６１は、図４に示したように、断面が略「Ｌ」字形状からなり、揺動部材６１に設けられた清掃部材６２は、ＳＬＡ４２方向に突き出た面６２ａに、フェルト(不織布)からなる拭き取り部材（第２清掃部材）６３と、マイラー等の板状の弾性体からなる掃き出し部材（第１清掃部材）６４とが配設されている（図３も併せて参照）。そして、揺動部材６１が揺動する範囲は、揺動部材６１に備えられた清掃部材６２の掃き出し部材６４が光照射面４５と当接すると同時に拭き取り部材６３が離隔する位置と、掃き出し部材６４が光照射面４５から離隔すると同時に拭き取り部材６３が当接する位置との間である。
【００２０】
図５は、清掃装置６０をスライド移動させた場合の清掃部材６２と光照射面４５との当接状態を説明する図である。図５（ａ）は清掃装置６０を図面右 (矢印Ｄ) 方向に移動させる場合を示し、（ｂ）は清掃装置６０を図面左(矢印Ｃ) 方向に移動させる場合を示している。図５（ａ）に示したように、清掃装置６０が図面右 (矢印Ｄ) 方向に移動する場合には、清掃部材６２の掃き出し部材６４は光照射面４５に当接する一方で、拭き取り部材６３は光照射面４５から離隔するように揺動部材６１が揺動する。そして清掃部材６２の移動に伴って、掃き出し部材６４は拭き取り部材６３の上流側において光照射面４５に対しカウンタ当接しながら移動するように構成されている。
これに対し、図５（ｂ）に示したように、清掃装置６０が図面左(矢印Ｃ) 方向に移動する場合には、清掃部材６２の掃き出し部材６４は光照射面４５から離隔する一方で、拭き取り部材６３が光照射面４５に当接するように揺動部材６１が揺動する。そして清掃部材６２の移動に伴って、拭き取り部材６３は光照射面４５に対し摺擦しながら移動するように構成されている。
【００２１】
ここで、清掃装置６０の清掃部材６２が光照射面４５を清掃する際の清掃動作を説明する。図６（１）（２）では、清掃部材６２が図面右（Ｄ）方向に移動する場合を示し、図６（３）（４）では、清掃部材６２が図面左（Ｃ）方向に移動する場合を示している。
図３に示した構成では、清掃部材６２が図面右方向（Ｄ方向）に移動する場合は、清掃棒５２が図面右方向に引かれるのに伴って揺動部材６１が矢印Ｆ方向に揺動する（図５（ａ）も併せて参照）。この場合には、図６（１）（２）に示したように、掃き出し部材６４が拭き取り部材６３の上流側において光照射面４５に対してカウンタ方向に当接して光照射面４５の画像領域を含んだ領域を摺動する。一方、拭き取り部材６３は光照射面４５から離隔した状態に位置する。そして清掃部材６２は、掃き出し部材６４が光照射面４５を摺動しながら光照射面４５に付着したトナーやほこり等を光照射面４５の端部まで掃き集め、図６（２）に示したように、掃き出し部材６４により掃き集められたトナーやほこり等は、光照射面４５上から図示しない回収ボックスに回収される。
【００２２】
また、図３に示した構成では、清掃部材６２が図面左方向（Ｃ方向）に移動する場合は、清掃棒５２が図面左方向に押されるのに伴って揺動部材６１が矢印Ｅ方向に揺動する（図５（ｂ）も併せて参照）。この場合には、図６（３）（４）に示したように、拭き取り部材６３が光照射面４５の画像領域を含んだ領域を摺擦するように光照射面４５に当接するが、掃き出し部材６４は拭き取り部材６３の下流側において光照射面４５に対してウィズ方向に当接した状態となる。そして清掃部材６２は、図６（４）に示したように、拭き取り部材６３が光照射面４５を摺動しながら掃き出し部材６４では掃き取れずに残されたトナーやほこり等を拭き取る。
【００２３】
このように、本実施の形態におけるＬＰＨ１２に備えられた清掃装置６０では、清掃装置６０がホームポジションから他方の端部に向けて移動する際には、掃き出し部材６４が拭き取り部材６３の上流側において光照射面４５に対してカウンタ方向に当接して光照射面４５の画像領域を含んだ領域を摺動し、光照射面４５に付着したトナーやほこり等を光照射面４５の端部まで掃き出す。一方、ホームポジションに向けた方向に移動する際には、拭き取り部材６３が光照射面４５を摺擦するように当接して、掃き出し部材６４が掃き取れずに残したトナーやほこり等を拭き取るように構成されている。
このように、一方向への移動時には、掃き出し部材６４によって光照射面４５に付着した大部分のトナーやほこり等を端部まで掃き出した後、その逆方向への移動時において、拭き取り部材６３が光照射面４５を摺擦し、掃き出し部材６４が掃き残した僅かなトナーやほこり等を拭き取るので、拭き取り部材６３に蓄積するトナーやほこり等のゴミの量が極めて少なくなり、長期に亘り清掃能力を高く維持でき、その結果拭き取り部材６３の交換頻度も減らすことができる。
【００２４】
ここで、清掃装置６０が光照射面４５を清掃する際のゴミの残存状態を比較する。図７は清掃装置６０の清掃部材６２が光照射面４５を清掃する際のゴミの残存状態を比較する図である。図７（ａ）は従来の拭き取り部材６３のみで構成された清掃装置が図面右方向（往路）および図面左方向（復路）の双方において光照射面４５に摺擦移動する場合であり、図７（ｂ）は本実施の形態の清掃装置６０の場合であって、往路では掃き出し部材６４が光照射面４５に当接移動し、復路では拭き取り部材６３が光照射面４５に摺擦移動する場合を表している。
【００２５】
図７（ａ）に示したように、従来の清掃装置では、拭き取り部材６３が光照射面４５に摺擦しながら往路を移動し、光照射面４５上のゴミを画像領域外に拭き出すが（図７（ａ）(１)）、復路でも拭き取り部材６３が光照射面４５に摺擦しながら移動するために蓄積したゴミが拭き取り部材６３と一緒に引き戻され（図７（ａ）(２)）、光照射面４５を汚すことになる（図７（ａ）(３)）。このような現象は、清掃動作を何度も繰り返すことによって顕著に現れる。
【００２６】
これに対し、本実施の形態では、図７（ｂ）に示すように、まず往路では、光照射面４５上のゴミを掃き出し部材６４が画像領域外に拭き出す(図７（ｂ）（１）（２）)。そして、復路では拭き取り部材６３が光照射面４５を摺擦した状態で移動する(図７（ｂ）（３）)。そのため、光照射面４５上のゴミの大部分は掃き出し部材６４によって画像領域外に拭き出され(図７（ｂ）（２）)、拭き取り部材６３は残った僅かなゴミだけを拭き取る(図７（ｂ）（３）)。このように、拭き取り部材６３にはゴミが大量に蓄積されないので、復路においてゴミが再度光照射面４５に付着することがなく、光照射面４５を汚すことはない。特に、掃き出し部材６４をＳＬＡ４２の長手方向外部まで移動させることによって、掃き出し部材６４に蓄積したゴミをＳＬＡ４２上から排除することができるので、拭き取り部材６３へのゴミの蓄積を極力防止することができる。
【００２７】
なお、清掃部材６２を光照射面４５に当接させ、または離隔させる動作は、清掃部材６２が画像領域の範囲外に位置している状態で行う。特に、清掃部材６２を光照射面４５から離隔させる場合には、清掃部材６２に蓄積したゴミが光照射面４５に残存する可能性が高いため、清掃部材６２が画像領域の範囲外に位置している状態で行うことが必要である。
【００２８】
また、本実施の形態では、清掃部材６２が光照射面４５と接離させる手段として機械的な機構を用いたが、電磁的な機構を用いて接離させることもできる。
さらに、スライド部材５３の移動は清掃棒５２により手動で行ったが、電気的な駆動手段を用いることもできる。
【００２９】
[実施の形態２]
実施の形態１では、ＬＰＨ１２に備えられた清掃装置６０が、光照射面４５に対して往復移動するように構成され、一方向に移動する際には、掃き出し部材６４が拭き取り部材６３の上流側において光照射面４５に対してカウンタ方向に当接して光照射面４５を摺動し、反対方向に移動する際には、拭き取り部材６３が光照射面４５を摺擦するように当接して、光照射面４５上のトナーやほこりを拭き取るように構成した画像形成装置について説明した。実施の形態２では、ＬＰＨ１２に備えられた清掃装置６０が、光照射面４５に対して往復移動するように構成され、一方向に移動する際には、掃き出し部材６４および拭き取り部材６３が同時に光照射面４５を摺動し、反対方向に移動する際には、掃き出し部材６４および拭き取り部材６３が共に光照射面４５から離隔するように構成した画像形成装置について説明する。尚、実施の形態１と同様な構成については同様な符号を用い、ここではその詳細な説明を省略する。
【００３０】
本発明の実施の形態２の画像形成装置に用いられるＬＰＨ１２の清掃装置８０について説明する。図８は本実施の形態における清掃装置８０をスライド移動させた場合の清掃部材６２と光照射面４５との当接状態を説明する図である。図８（ａ）は清掃装置８０を図面左 (矢印Ｃ) 方向に移動させる場合を示し、（ｂ）は清掃装置８０を図面右(矢印Ｄ) 方向に移動させる場合を示している。
まず、図８に示すように、本実施の形態の清掃装置８０は、実施の形態１の清掃装置６０と同様に、ＬＰＨ１２のＬＰＨハウジング４０のハウジング本体部７１内に担持される支持部材５０、支持部材５０の長手方向に設けられたレール部５１、レール部５１にスライド可能に支持されたスライド部材５３、支持部材５０の長手方向に伸びた清掃棒５２、光照射面４５を清掃する清掃部材６２、清掃部材６２を支持する揺動部材６１で構成されている。そして、清掃装置８０は、ＬＰＨハウジング４０において、ハウジング本体部７１の「コ」字形状の内部空間に、清掃装置６０の主要部（移動機構部）が配置され、揺動部材６１のみがＬＰＨハウジング４０の外側部に配置されている。
【００３１】
また、清掃棒５２とスライド部材５３とは一体となってレール部５１に沿って移動可能に構成され、清掃棒５２の移動に伴ってスライド部材５３は光照射面４５の画像領域を含んだ一定の範囲を往復移動することが可能である。本実施の形態では、揺動部材６１は、スライド部材５３に軸支されてＬＰＨハウジング４０の長手方向において所定の範囲で揺動するように構成されているが、揺動部材６１は、清掃棒５２が図面左（矢印Ｃ）方向にスライドする際には図面右（矢印Ｇ）方向に傾き、清掃棒５２が図面右（矢印Ｄ）方向にスライドする際には図面左（矢印Ｈ）方向に傾くように構成されている点で、実施の形態１の場合とは異なる。
【００３２】
図８（ａ）に示したように、清掃装置８０が図面左 (矢印Ｃ) 方向に移動する場合には、清掃部材６２の掃き出し部材６４および拭き取り部材６３が共に光照射面４５に当接するように揺動部材６１が揺動する(矢印Ｇ方向)。そして清掃部材６２の移動に伴って光照射面４５を掃き出し部材６４および拭き取り部材６３が当接して移動するように構成されている。
他方、図８（ｂ）に示したように、清掃装置８０が図面右(矢印Ｄ) 方向に移動する場合には、清掃部材６２の掃き出し部材６４および拭き取り部材６３が共に光照射面４５から離隔するように揺動部材６１が揺動する(矢印Ｈ方向)。そして清掃部材６２は光照射面４５と離隔した状態で移動するように構成されている。
【００３３】
ここで、清掃装置８０の清掃部材６２が光照射面４５を清掃する際の清掃動作を説明する。図９の（１）（２）では、清掃部材６２が図面左方向（Ｃ方向）に移動する場合を示し、図９の（３）（４）では、清掃部材６２が図面右方向（Ｄ方向）に移動する場合を示している。
本実施の形態の構成では、清掃部材６２がホームポジションから図面左方向（Ｃ方向）に移動する場合は、清掃棒５２が図面左方向に押されるのに伴って揺動部材６１が矢印Ｇ方向に揺動する（図８（ａ）も併せて参照）。この場合には、図９（１）（２）に示したように、掃き出し部材６４が拭き取り部材６３の上流側において光照射面４５に対してカウンタ方向に当接して光照射面４５の画像領域を含んだ領域を摺動するとともに、拭き取り部材６３も光照射面４５を摺擦するように当接する。そして清掃部材６２では、掃き出し部材６４が光照射面４５を摺動しながら光照射面４５に付着したトナーやほこり等を光照射面４５の端部まで掃き出すが、その際拭き取り部材６３は掃き出し部材６４が掃き残したトナーやほこりを拭き取り回収する（図９（２））。
【００３４】
また、本実施の形態の構成では、清掃部材６２が図面右方向（Ｄ方向）に移動する場合は、清掃棒５２が図面右方向に引かれるのに伴って揺動部材６１が矢印Ｈ方向に揺動する（図８（ｂ）も併せて参照）。この場合には、図９（３）（４）に示したように、掃き出し部材６４および拭き取り部材６３は光照射面４５から離隔した状態となる。そして清掃部材６２は、図９（４）に示したように、掃き出し部材６４および拭き取り部材６３が光照射面４５から離隔した状態でホームポジションに戻る。
【００３５】
このように、本実施の形態におけるＬＰＨ１２に備えられた清掃装置８０では、清掃装置８０がホームポジションから他方の端部に向けて移動する際には、掃き出し部材６４が拭き取り部材６３の上流側において光照射面４５に対してカウンタ方向に当接して、光照射面４５を摺動しながら光照射面４５に付着したトナーやほこりを光照射面４５の端部まで掃き出す。それと同時に、拭き取り部材６３も光照射面４５に当接した状態となって、掃き出し部材６４が掃き残したトナーやほこりを拭き取り回収する。一方、ホームポジションに向けた方向に移動する際には、掃き出し部材６４および拭き取り部材６３は、光照射面４５から離隔するように位置しながら、ホームポジションに戻るように構成されている。
これによって、掃き出し部材６４が光照射面４５に付着したトナーやほこりの大部分を端部まで掃き出すとともに、掃き出し部材６４が掃き残した僅かなトナーやほこり等を拭き取り部材６３が光照射面４５を摺擦して拭き取るので、拭き取り部材６３に蓄積するトナーやほこり等のゴミの量が極めて少なくなり、長期に亘り清掃能力を高く維持でき、その結果拭き取り部材６３の交換頻度も減らすことができる。
また、トナーやほこりを掃き出した後は、清掃部材６２を光照射面４５と離隔した状態で移動させるので、蓄積したゴミは清掃部材６２と一緒に引き戻されることがなく（図９（３））、光照射面４５を汚すことはない。特に、清掃部材６２をＳＬＡ４２の長手方向外部まで移動可能とすることによって、清掃部材６２に蓄積したゴミをＳＬＡ４２上から排除することによって、清掃部材６２へのゴミの蓄積を極力防止することもできる。
【産業上の利用可能性】
【００３６】
本発明の活用例として、電子写真方式を用いた複写機、プリンタ等の画像形成装置において、例えば感光体ドラムを露光して静電潜像を形成するプリントヘッドに適用することができる。
【図面の簡単な説明】
【００３７】
【図１】本発明の実施の形態１における画像形成装置を説明する図である。
【図２】ＬＰＨの構成を示す断面図である。
【図３】ＬＰＨの側面図である。
【図４】揺動部材の構成を示す図である。
【図５】実施の形態１における清掃装置をスライド移動させた場合の清掃部材と光照射面との当接状態を説明する図である。
【図６】清掃装置の清掃部材が光照射面を清掃する際の清掃動作を説明する図である。
【図７】清掃装置の清掃部材が光照射面を清掃する際のゴミの残存状態を比較する図である。
【図８】実施の形態２における清掃装置をスライド移動させた場合の清掃部材と光照射面との当接状態を説明する図である。
【図９】清掃装置の清掃部材が光照射面を清掃する際の清掃動作を説明する図である。
【符号の説明】
【００３８】
１０…感光体ドラム、１１…帯電ローラ、１２…ＬＥＤプリントヘッド（ＬＰＨ）、１３…現像器、１４…転写ローラ、１５…クリーナ、１６…定着器、４０…ＬＰＨハウジング、４１…発光ダイオードアレイ（ＬＥＤアレイ）、４２…セルフォックレンズアレイ（ＳＬＡ）、４５…光照射面、５０…支持部材、５１…レール部、５２…清掃棒、５３…スライド部材、６０…清掃装置、６１…揺動部材、６２…清掃部材、６３…拭き取り部材（第２清掃部材）、６４…掃き出し部材（第１清掃部材）、７１…ハウジング本体部、７２…ＬＥＤアレイ保持部、７３…レンズ保持部
【図１】
2005041147.tif 000003
【図２】
2005041147.tif 000004
【図３】
2005041147.tif 000005
【図４】
2005041147.tif 000006
【図５】
2005041147.tif 000007
【図６】
2005041147.tif 000008
【図７】
2005041147.tif 000009
【図８】
2005041147.tif 000010
【図９】
2005041147.tif 000011